(57)【要約】【課題】処理センタの仲介を必要とせず、通信装置とメッセージの通信を行う、Ｘ１０ゲートウェイ・コンポーネントを提供すること。【解決手段】機構内の１つまたは複数のＸ１０ゲートウェイ・コンポーネントは、本発明の一例において、１つまたは複数の移動通信装置と１つまたは複数のモジュール・コンポーネントとの間で、１つまたは複数のメッセージを伝達する。【選択図】図１
2005176382.tif 000002
【特許請求の範囲】
【請求項１】
１つまたは複数の移動通信装置と１つまたは複数のモジュール・コンポーネントとの間で、１つまたは複数のメッセージを伝達する、１つまたは複数のＸ１０ゲートウェイ・コンポーネントを含む機構。
【請求項２】
前記１つまたは複数のＸ１０ゲートウェイ・コンポーネントは、Ｘ１０ゲートウェイ・コンポーネントを含み、前記１つまたは複数のメッセージは、メッセージを含み、前記１つまたは複数の移動通信装置は、第１の移動通信装置と第２の移動通信装置とを含み、前記Ｘ１０ゲートウェイ・コンポーネントは、前記第１の移動通信装置に結合され、
前記Ｘ１０ゲートウェイ・コンポーネントは、前記第１の通信装置が前記第２の通信装置から前記メッセージを受信した際に、前記第１の移動通信装置から前記メッセージを取得し、
前記メッセージは、１つまたは複数のショート・メッセージ・サービス・メッセージ、ｅメール・メッセージ、および音声メッセージを含み、前記Ｘ１０ゲートウェイ・コンポーネントは、前記メッセージを構文解析して１つまたは複数のコマンドに分割し、
前記１つまたは複数のモジュール・コンポーネントは、モジュール・コンポーネントを含み、前記モジュール・コンポーネントは、電気装置に結合され、
前記Ｘ１０ゲートウェイ・コンポーネントは、前記モジュール・コンポーネントを利用して、前記電気装置において前記１つまたは複数のコマンドのうちの１つまたは複数を実行する、請求項１に記載の機構。
【請求項３】
前記１つまたは複数のＸ１０ゲートウェイ・コンポーネントは、Ｘ１０ゲートウェイ・コンポーネントを含み、前記１つまたは複数のメッセージは、メッセージを含み、前記１つまたは複数の移動通信装置は、第１の移動通信装置と第２の移動通信装置とを含み、前記Ｘ１０ゲートウェイ・コンポーネントは、前記第１の移動通信装置に結合され、
前記Ｘ１０ゲートウェイ・コンポーネントは、シリアル・ポート接続を含み、前記Ｘ１０ゲートウェイ・コンポーネントは、前記第１の通信装置が前記第２の通信装置から前記メッセージを受信した際に、前記シリアル・ポート接続を介して、前記第１の移動通信装置から前記メッセージを取得し、
前記１つまたは複数のモジュール・コンポーネントは、モジュール・コンポーネントを含み、前記モジュール・コンポーネントは、電気装置に結合され、前記メッセージは、１つまたは複数のコマンドを含み、前記Ｘ１０ゲートウェイ・コンポーネントは、前記モジュール・コンポーネントを利用して、前記１つまたは複数のコマンドのうちの１つまたは複数を用いて前記電気装置を制御する、請求項１に記載の機構。
【請求項４】
前記１つまたは複数のＸ１０ゲートウェイ・コンポーネントは、Ｘ１０ゲートウェイ・コンポーネントを含み、前記１つまたは複数のメッセージは、メッセージを含み、前記１つまたは複数の移動通信装置は、移動通信装置を含み、
前記Ｘ１０ゲートウェイ・コンポーネントは、インターネットを介して、前記移動通信装置から前記メッセージを取得し、
前記１つまたは複数のモジュール・コンポーネントは、モジュール・コンポーネントを含み、前記モジュール・コンポーネントは、電気装置に結合され、前記メッセージは、１つまたは複数のコマンドを含み、前記Ｘ１０ゲートウェイ・コンポーネントは、前記モジュール・コンポーネントを利用して、前記１つまたは複数のコマンドのうちの１つまたは複数を用いて前記電気装置を制御する、請求項１に記載の機構。
【請求項５】
前記１つまたは複数のＸ１０ゲートウェイ・コンポーネントは、Ｘ１０ゲートウェイ・コンポーネントを含み、前記１つまたは複数のメッセージは、レスポンスを含み、前記１つまたは複数のモジュール・コンポーネントは、センサ・コンポーネントを含み、前記Ｘ１０ゲートウェイ・コンポーネントは、前記モジュール・コンポーネントに結合され、
前記センサ・コンポーネントは、１つまたは複数のトリガに反応して前記レスポンスを生成し、前記Ｘ１０ゲートウェイ・コンポーネントは、前記センサ・コンポーネントから前記レスポンスを取得し、
前記レスポンスは、情報を含み、前記Ｘ１０ゲートウェイ・コンポーネントは、前記情報をショート・メッセージ・サービス・メッセージに挿入し、前記Ｘ１０ゲートウェイ・コンポーネントは、前記ショート・メッセージ・サービス・メッセージを前記移動通信装置に送信する、請求項１に記載の機構。
【請求項６】
前記１つまたは複数のＸ１０ゲートウェイ・コンポーネントは、Ｘ１０ゲートウェイ・コンポーネントを含み、前記１つまたは複数のメッセージは、レスポンスを含み、前記１つまたは複数のモジュール・コンポーネントは、センサ・コンポーネントを含み、前記Ｘ１０ゲートウェイ・コンポーネントは、前記モジュール・コンポーネントに結合され、
前記センサ・コンポーネントは、１つまたは複数のトリガに反応して前記レスポンスを生成し、前記Ｘ１０ゲートウェイ・コンポーネントは、前記センサ・コンポーネントから前記レスポンスを取得し、
前記レスポンスは、前記センサ・コンポーネントによって撮影された写真を含み、前記Ｘ１０ゲートウェイ・コンポーネントは、前記写真を前記移動通信装置に送信する、請求項１に記載の機構。
【請求項７】
１つまたは複数の移動通信装置と１つまたは複数のＸ１０モジュール・コンポーネントとの間でメッセージを伝達する工程を含む方法。
【請求項８】
第２のメッセージは、１つまたは複数のコマンドを含み、前記１つまたは複数の移動通信装置と前記１つまたは複数のＸ１０モジュール・コンポーネントとの間で前記メッセージを伝達する前記工程は、
前記１つまたは複数の移動通信装置のうちの１つまたは複数から第１のメッセージを取得する工程と、
前記第１のメッセージを前記１つまたは複数のコマンドに分割する工程と、
前記１つまたは複数のコマンドのうちの１つまたは複数を前記１つまたは複数のＸ１０モジュール・コンポーネントのうちの前記１つまたは複数に送信して、前記１つまたは複数のコマンドのうちの前記１つまたは複数を用いて１つまたは複数の電気装置を制御する工程とを含む、請求項７に記載の方法。
【請求項９】
前記Ｘ１０モジュール・コンポーネントは、センサ・コンポーネントを含み、前記１つまたは複数の移動通信装置と前記１つまたは複数のＸ１０モジュール・コンポーネントとの間で前記メッセージを伝達する前記工程は、
レスポンスを含む前記メッセージを前記センサ・コンポーネントから受信する工程と、
前記レスポンスに含まれる情報をショート・メッセージ・サービス・メッセージに挿入する工程と、
前記ショート・メッセージ・サービス・メッセージを前記１つまたは複数の移動通信装置のうちの１つまたは複数に送信する工程とを含む、請求項７に記載の方法。
【請求項１０】
前記１つまたは複数の移動通信装置は、移動通信装置を含み、前記１つまたは複数の移動通信装置と前記１つまたは複数のＸ１０モジュール・コンポーネントとの間で第１のメッセージを伝達する前記工程は、
前記移動通信装置のユーザの個人識別番号を前記移動通信装置から受信する工程と、
前記移動通信装置のユーザの前記個人識別番号を確認する工程と、
前記移動通信装置から前記メッセージの受信を可能にする工程とを含む、請求項７に記載の方法。
【発明の詳細な説明】
【技術分野】
【０００１】
本発明は一般に、Ｘ１０技術に関し、より詳細には、Ｘ１０技術を用いた通信に関する。
【背景技術】
【０００２】
人々は、Ｘ１０ワイヤレス・テクノロジー社（X10 Wireless Technology, Inc.）（ワシントン州シアトル、www.x10.com）が提供するＸ１０技術を用いて、家庭、アパート、またはオフィスを自動化したいと望んでいる。Ｘ１０技術は、１つまたは複数の電気装置を、家庭、アパート、またはオフィスの１つまたは複数の電気配線を介して制御するのに、信号伝達言語を利用する。Ｘ１０技術の一例は、Ｘ１０ゲートウェイ・コンポーネントである。ユーザは、Ｘ１０ゲートウェイ・コンポーネントおよび１つまたは複数のモジュール・コンポーネントを利用して、家庭、アパート、またはオフィスを自動化し、かつ／または監視する。一例において、ユーザは、Ｘ１０ゲートウェイ・コンポーネントに１つまたは複数のメッセージを送信し、モジュール・コンポーネントを利用して電気装置を制御する。別の例において、ユーザは、Ｘ１０ゲートウェイ・コンポーネントから１つまたは複数のメッセージを受信する。例えば、ユーザは、家庭、アパート、またはオフィスで電気装置を監視するため、メッセージを利用する。
【０００３】
ユーザは、一例において、Ｘ１０ゲートウェイ・コンポーネントと遠隔地の通信装置との間でメッセージを伝達したいと望む。通信装置は、処理センタに接続する。処理センタに接続すると、ユーザは、家庭、アパート、またはオフィスの電気装置を制御するための１つまたは複数のメッセージを、処理センタの作業員に伝える。作業員は、Ｘ１０ゲートウェイ・コンポーネントに結合された地上通信線モデムに、インターネットを介して、メッセージを送信する。Ｘ１０ゲートウェイ・コンポーネントは、地上通信線モデムからメッセージを受信して、電気装置を制御する。
【０００４】
上記方式の１つの短所は、処理センタを介さなければ、ユーザは、Ｘ１０ゲートウェイ・コンポーネントと通信を行えないことである。例えば、ユーザは、Ｘ１０ゲートウェイ・コンポーネントと直接通信を行うことを望むかもしれない。別の短所は、Ｘ１０ゲートウェイ・コンポーネントが、移動通信ネットワークまたはブロードバンド・インターネット接続を介して、通信装置のユーザと通信を行えないことである。
【発明の開示】
【発明が解決しようとする課題】
【０００５】
したがって、処理センタの仲介を必要とせず、通信装置とメッセージの通信を行う、Ｘ１０ゲートウェイ・コンポーネントが必要とされている。さらに、非地上通信線インターネット接続を介して、通信装置とメッセージの通信を行う、Ｘ１０ゲートウェイ・コンポーネントも必要とされている。
【課題を解決するための手段】
【０００６】
本発明の一実施形態は、機構を含む。前記機構は、１つまたは複数の移動通信装置と１つまたは複数のモジュール・コンポーネントとの間で、１つまたは複数のメッセージを伝達する、１つまたは複数のＸ１０ゲートウェイ・コンポーネントを含む。
【０００７】
本発明の別の実施形態は、方法を含む。１つまたは複数の移動通信装置と１つまたは複数のＸ１０モジュール・コンポーネントとの間で、メッセージが伝達される。
【０００８】
本発明のまた別の実施形態は、物品を含む。前記物品は、１つまたは複数のコンピュータ可読信号搬送媒体を含む。前記物品は、１つまたは複数の媒体中に、１つまたは複数の移動通信装置と１つまたは複数のＸ１０モジュール・コンポーネントとの間でメッセージを伝達する手段を含む。
【０００９】
本発明の例示的な実施形態の特徴は、以下の説明、特許請求の範囲、および添付の図面から明らかとなるであろう。
【発明を実施するための最良の形態】
【００１０】
図１を参照すると、本発明の一例において、機構１００は、１つまたは複数の移動通信装置１０２、１０４、１つまたは複数のネットワーク要素１０６、１つまたは複数のＸ１０ゲートウェイ・コンポーネント１０８、１つまたは複数のモジュール・コンポーネント１１０、１１２、および１つまたは複数の電気装置１１４、１１６、１１８、１２０を含む。Ｘ１０ゲートウェイ・コンポーネント１０８は、移動通信装置１０２、１０４とモジュール・コンポーネント１１０、１１２との間で、１つまたは複数のメッセージを伝達する。一例において、Ｘ１０ゲートウェイ・コンポーネント１０８は、移動通信装置１０２、１０４からのメッセージを、モジュール・コンポーネント１１０用の１つまたは複数のコマンドに変換する。別の例において、Ｘ１０ゲートウェイ・コンポーネント１０８は、モジュール・コンポーネント１１２からの１つまたは複数のレスポンスを、移動通信装置１０２、１０４用のメッセージに変換する。
【００１１】
移動通信装置１０２のユーザ１２４は、移動通信装置１０２を利用して、Ｘ１０ゲートウェイ・コンポーネント１０８にメッセージを送信する。移動通信装置１０２、１０４は、一例において、１つまたは複数のモバイル電話、情報携帯端末（「ＰＤＡ」）、およびモバイル・メッセージング装置を含む。メッセージは、一例において、１つまたは複数のショート・メッセージ・サービス・メッセージ、ｅメール、マルチメディア・メッセージ、および音声メッセージを含む。ユーザ１２４は、一例において、Ｘ１０ゲートウェイ・コンポーネント１０８が１つまたは複数の電気装置１１４、１１６、１１８および１２０を制御するように、移動通信装置１０２にメッセージを入力する。電気装置１１４、１１６、１１８および１２０は、家庭、オフィス、またはアパートに存在する。
【００１２】
本発明の一例において、移動通信装置１０２は、ネットワーク要素１０６を介して、メッセージを移動通信装置１０４に送信する。ネットワーク要素１０６は、一例において、公衆陸上移動通信網（「ＰＬＭＮ」）を含む。移動通信装置１０４およびＸ１０ゲートウェイ・コンポーネント１０８は、１つまたは複数のシリアル・ポート接続、汎用シリアル・バス接続、Ｂｌｕｅｔｏｏｔｈ（登録商標）規格（カンザス州オーバーランド・パーク、http://www.bluetooth.org）に準拠するＢｌｕｅｔｏｏｔｈ（登録商標）装置、および無線周波装置を含む。Ｘ１０ゲートウェイ・コンポーネント１０８は、一例において、ネットワーク要素１０６を介して、移動通信装置１０２からメッセージを受信する際、移動通信装置１０４からメッセージを取得する。例えば、Ｘ１０ゲートウェイ１０８は、シリアル・ポート接続、汎用シリアル・バス接続、Ｂｌｕｅｔｏｏｔｈ（登録商標）装置、または無線周波装置を介して、移動通信装置１０４からメッセージを取得する。
【００１３】
図１および図２を参照すると、本発明の別の例において、移動通信装置１０２は、インターネットを介して、Ｘ１０ゲートウェイ・コンポーネント１０８にメッセージを送信する。図２に示す機構の実施形態は、移動通信装置１０２、ネットワーク要素１０６、Ｘ１０ゲートウェイ・コンポーネント１０８、モジュール・コンポーネント１１０、１１２、電気装置１１４、１１６、１１８、１２０、インターネット２０２、１つまたは複数のモデム・コンポーネント２０４、および１つまたは複数のコンピュータ２０６を含む。モデム・コンポーネント２０４は、一例において、ケーブル・モデム、デジタル加入者線カード、イーサネット（登録商標）・カード、および無線インターネット・カードを含む。コンピュータ２０６は、一例において、Ｘ１０ゲートウェイ・コンポーネント１０８を含む。コンピュータ２０６は、一例において、モデム・コンポーネント２０４によって、インターネット２０２に結合される。Ｘ１０ゲートウェイ・コンポーネント１０８は、一例において、インターネットを介して、移動通信装置１０２からメッセージを受信する際、モデム・コンポーネント２０４からメッセージを取得する。
【００１４】
移動通信装置１０２のユーザ１２４は、本発明の一例において、移動通信装置１０２を用いて、ユーザ１２４の個人識別番号を入力する。移動通信装置１０２は、Ｘ１０ゲートウェイ・コンポーネントにアクセスするため、Ｘ１０ゲートウェイ・コンポーネント１０８に個人識別番号を送信する。Ｘ１０ゲートウェイ・コンポーネント１０８によって個人識別番号がユーザ１２４のものであることが確認されると、Ｘ１０ゲートウェイ・コンポーネント１０８は、Ｘ１０ゲートウェイ・コンポーネント１０８で移動通信装置１０２からメッセージを受信できるようにする。
【００１５】
Ｘ１０ゲートウェイ・コンポーネント１０８は、移動通信装置１０４またはモデム・コンポーネント２０４からメッセージを取得する。Ｘ１０ゲートウェイ・コンポーネント１０８は、本発明の一例において、メッセージを１つまたは複数のコマンドに分割する。メッセージがショート・メッセージ・サービス・メッセージまたはｅメールを含む場合、Ｘ１０ゲートウェイ・コンポーネント１０８は、一例において、ショート・メッセージ・サービス・メッセージまたはｅメールを構文解析して、コマンドに分割する。メッセージが音声メッセージを含む場合、Ｘ１０ゲートウェイ・コンポーネント１０８は、一例において、音声メッセージをテキスト・メッセージに変換する。テキスト・メッセージに変換してから、Ｘ１０ゲートウェイ・コンポーネント１０８は、テキスト・メッセージを構文解析して、コマンドに分割する。Ｘ１０ゲートウェイ・コンポーネント１０８は、記録可能データ記憶媒体１２２の一例を含む。コマンドは、一例において、照明を点ける、照明を消す、照明を暗くする、ドアを開く、ドアを閉じる、写真を撮る、温度を読み取る、暖房を入れる、エアコンを入れる、電気器具のスイッチを入れる、電気器具のスイッチを切るなど、１つまたは複数のキーワードを含む。
【００１６】
１つまたは複数のモジュール・コンポーネント１１０、１１２は、コマンドを利用して、１つまたは複数の電気装置１１４、１１６、１１８、１２０を制御する。モジュール・コンポーネント１１０、１１２は、本発明の一例において、１つまたは複数のＸ１０モジュール・コンポーネントを含む。Ｘ１０ゲートウェイ・コンポーネント１０８は、一例において、コマンドを用いて電気装置１１４、１１６、１１８および１２０を制御するため、モジュール・コンポーネント１１０、１１２にコマンドを送信する。例えば、Ｘ１０ゲートウェイ・コンポーネント１０８は、家庭、アパート、または事業所の１つまたは複数のＡＣ電源線を介して、モジュール・コンポーネント１１０、１１２にコマンドを送信する。
モジュール・コンポーネント１１０は、本発明の一例において、スイッチ・コンポーネントまたはダイアル・コンポーネントを含む。コマンドが、照明を点ける、照明を消す、または照明を暗くするコマンドを含み、電気装置１１４が、発光装置である場合、モジュール・コンポーネント１１０は、一例において、電気装置１１４を暗くし、点灯し、または消灯する。コマンドが、ドアを開く、またはドアを閉じるコマンドを含み、電気装置１１６が、ドア、例えば、車庫のドアである場合、モジュール・コンポーネント１１０は、一例において、電気装置１１６を開き、または閉じる。コマンドが、電気器具のスイッチを入れる、または電気器具のスイッチを切るコマンドを含み、電気装置１１８が、電気器具である場合、モジュール・コンポーネントは、一例において、電気装置１１８のスイッチを入れ、またはスイッチを切る。
【００１７】
モジュール・コンポーネント１１２は、本発明の一例において、Ｘ１０ゲートウェイ・コンポーネント１０８に１つまたは複数のメッセージを送信する。メッセージは、１つまたは複数のレスポンスを含む。レスポンスは、１つまたは複数のコマンド、写真、ビデオ、およびレスポンス・メッセージを含む。モジュール・コンポーネント１１２は、一例において、１つまたは複数のセンサ・コンポーネントを含む。センサ・コンポーネントは、１つまたは複数の温度センサ、動き検知器、音センサ、および圧力センサを含む。モジュール・コンポーネント１１２は、１つまたは複数のトリガに反応して、レスポンスを生成する。
【００１８】
本発明の一例において、モジュール・コンポーネント１１２は、コマンドを利用して、１つまたは複数の電気装置１１４、１１６、１１８、１２０を制御する。移動通信装置１０２のユーザ１２４は、一例において、トリガに反応して電気装置１１４、１１６、１１８、１２０を制御するため、Ｘ１０ゲートウェイ・コンポーネント１０８を介して、モジュール・コンポーネント１１２にメッセージを送信することができる。例えば、ユーザ１２４は、温度低下に反応して電気装置１２０のスイッチを入れるよう、Ｘ１０ゲートウェイ・コンポーネント１０８に指示するため、メッセージを送信する。トリガが、温度低下であり、電気装置１２０が、暖房器具を含み、モジュール・コンポーネント１１２が、温度センサを含む場合、Ｘ１０ゲートウェイ・コンポーネントは、温度低下に反応して電気装置１２０のスイッチを入れるため、モジュール・コンポーネント１１２を利用する。
【００１９】
本発明の別の例において、モジュール・コンポーネント１１２は、自動的にトリガに反応する。トリガが、動きであり、モジュール・コンポーネント１１２が動き検知器を含み、レスポンスが、コマンドを含む場合、モジュール・コンポーネント１１２は、一例において、動きに反応してコマンドを生成する。例えば、モジュール・コンポーネント１１２が、動き検知器を含み、電気装置１１４が、発光装置を含む場合、コマンドは、「照明を点ける」を含む。モジュール・コンポーネント１１２は、動きに反応して、発光装置を点灯する。
【００２０】
本発明のまた別の例において、トリガが、熱であり、モジュール・コンポーネント１１２が、温度計を含み、レスポンスが、レスポンス・メッセージを含む場合、モジュール・コンポーネント１１２は、熱に反応して、レスポンス・メッセージを生成する。モジュール・コンポーネント１１２は、ＡＣ電源線を介して、Ｘ１０ゲートウェイ・コンポーネント１０８にレスポンス・メッセージを送信する。Ｘ１０ゲートウェイ・コンポーネント１０８は、一例において、レスポンス・メッセージを、１つまたは複数の音声メッセージ、ショート・メッセージ・サービス・メッセージ、マルチメディア・メッセージ、およびｅメールに変換する。
【００２１】
本発明のさらに別の例において、トリガが、動きであり、モジュール・コンポーネント１１２が、カメラを含み、レスポンスが、写真またはビデオを含む場合、モジュール・コンポーネント１１２は、動きに反応して、写真またはビデオを撮影する。モジュール・コンポーネント１１２は、Ｘ１０ゲートウェイ・コンポーネント１０８に写真またはビデオを送信する。
【００２２】
１つまたは複数のレスポンス・メッセージ、写真、およびビデオを受信すると、Ｘ１０ゲートウェイ・コンポーネント１０８は、１つまたは複数の音声メッセージ、ショート・メッセージ・サービス・メッセージ、ｅメール、およびマルチメディア・メッセージを、移動通信装置１０２に送信する。本発明の一例において、Ｘ１０ゲートウェイ・コンポーネント１０８は、１つまたは複数の音声メッセージ、ショート・メッセージ・サービス・メッセージ、ｅメール、およびマルチメディア・メッセージを、移動通信装置１０４に送信する。移動通信装置１０４は、１つまたは複数の音声メッセージ、ショート・メッセージ・サービス・メッセージ、ｅメール、および写真を、移動通信ネットワーク要素１０６を介して、移動通信装置１０２に送信する。別の例において、Ｘ１０ゲートウェイ・コンポーネント１０８は、１つまたは複数の音声メッセージ、ショート・メッセージ・サービス・メッセージ、ｅメール、および写真を、モデム・コンポーネント２０４に送信する。モデム・コンポーネント２０４は、１つまたは複数の音声メッセージ、ショート・メッセージ・サービス・メッセージ、ｅメール、および写真を、インターネット２０２およびネットワーク要素１０６を介して、移動通信装置１０２に送信する。ユーザ１２４は、一例において、移動通信装置１０２を利用して、１つまたは複数の音声メッセージ、ショート・メッセージ・サービス・メッセージ、ｅメール、および写真を取得する。
【００２３】
図１〜図３を参照すると、例示的なロジック２０２を機能させて、機構１００内のＸ１０ゲートウェイ・コンポーネント１０８が、移動通信装置１０２とモジュール・コンポーネント１１０、１１２との間で、１つまたは複数のメッセージを伝達できるようにしている。機構１００は、メッセージを、移動通信装置１０２およびモジュール・コンポーネント１１０、１１２用の別のメッセージに変換する。ロジック３０２は、１つまたは複数の工程、例えば、工程３０４、３０６、３０８、３１０、３１２、３１４、３１６、３１８、３２０、３２２、３２４、３２６、３２８、３３０を利用する。
【００２４】
本発明の一例において、ユーザ１２４は、移動通信装置１０２を利用して、Ｘ１０ゲートウェイ・コンポーネント１０８にメッセージを送信する。Ｘ１０ゲートウェイ・コンポーネント１０８は、一例において、メッセージを１つまたは複数のコマンドに分割し、１つまたは複数のコマンドを用いて、１つまたは複数の電気装置１１４、１１６、１１８、１２０を制御する。別の例において、モジュール・コンポーネント１１２は、レスポンスを含むメッセージを、Ｘ１０ゲートウェイ・コンポーネント１０８に送信する。Ｘ１０ゲートウェイ・コンポーネント１０８は、一例において、レスポンスの情報を含む第２のメッセージを、移動通信装置１０２に送信する。
【００２５】
Ｘ１０ゲートウェイ・コンポーネント１０８が、工程３０４において、メッセージの受信を待機している間、ユーザ１２４は、移動通信装置１０２を利用して、Ｘ１０ゲートウェイ・コンポーネント１０８にメッセージを送信し、工程は３０４から３０６に進む。例えば、移動通信装置１０２は、Ｘ１０ゲートウェイ・コンポーネント１０８によって受信されるように、ネットワーク要素１０６を介して、移動通信装置１０４にメッセージを送信することができ、またはインターネット２０２を介して、モデム・コンポーネント２０４にメッセージを送信することができる。メッセージは、本発明の一例において、１つまたは複数のコマンドおよび個人識別番号を含む。Ｘ１０ゲートウェイ・コンポーネント１０８は、一例において、メッセージを構文解析して、コマンドおよび個人識別番号に分割し、工程は３０６から３０８に進む。
【００２６】
Ｘ１０ゲートウェイ・コンポーネント１０８は、本発明の一例において、個人識別番号がユーザ１２４のものであること、およびコマンドが有効なコマンドであることを確認する。一例において、個人識別番号がユーザ１２４のものでない場合、および／またはコマンドが有効なコマンドでない場合、Ｘ１０ゲートウェイ・コンポーネント１０８は、工程３０８から工程３１０に進む。例えば、Ｘ１０ゲートウェイ・コンポーネント１０８は、移動通信装置１０２にエラーメッセージを送信し、工程３０４に復帰する。別の例において、個人識別番号がユーザ１２４のものであり、かつコマンドが有効なコマンドである場合、工程は３０８から３１２に進む。例えば、Ｘ１０ゲートウェイ・コンポーネント１０８は、モジュール・コンポーネント１１０またはモジュール・コンポーネント１１２に接続し、工程は３１２から３１４および３１６に進む。
【００２７】
本発明の一例において、Ｘ１０ゲートウェイ・コンポーネント１０８は、移動通信装置１０２のユーザ１２４に対して、ログアウト・タイマを設定する。例えば、ユーザ１２４は、ログアウト・タイマが時間切れになるまで、Ｘ１０ゲートウェイ・コンポーネント１０８に１つもしくは複数のメッセージを送信することができ、時間切れになった時点で、ユーザ１２４は、個人識別番号を再送信することによって、再びログインすることもできる。別の例において、Ｘ１０ゲートウェイ・コンポーネント１０８は、モジュール・コンポーネント１１０またはモジュール・コンポーネント１１２にコマンドを送信し、工程は３１６から３１８に進む。モジュール・コンポーネント１１０またはモジュール・コンポーネント１１２が、コマンドを理解できない場合、工程は３１８から３１０に戻る。モジュール・コンポーネント１１０またはモジュール・コンポーネント１１２が、コマンドを理解できた場合、工程は３１８から３２０に進む。
【００２８】
１つまたは複数のモジュール・コンポーネント１１０およびモジュール・コンポーネント１１２は、本発明の一例において、コマンドを用いて、１つまたは複数の電気装置１１４、１１６、１１８、１２０を制御する。１つまたは複数のモジュール・コンポーネント１１０およびモジュール・コンポーネント１１２は、一例において、Ｘ１０ゲートウェイ・コンポーネント１０８にレスポンス・メッセージを返送し、工程は３２０から３２２に進む。例えば、電気装置１２０が、暖房器具を含み、コマンドが、「温度を読み取る」を含む場合、モジュール・コンポーネント１１２は、暖房器具の温度設定を含むレスポンス・メッセージを、Ｘ１０ゲートウェイ・コンポーネント１０８に送信する。
【００２９】
Ｘ１０ゲートウェイ・コンポーネント１０８は、本発明の一例において、モジュール・コンポーネント１１０またはモジュール・コンポーネント１１２から、レスポンス・メッセージを取得する。レスポンス・メッセージは、一例において、レスポンス情報を含む。Ｘ１０ゲートウェイ・コンポーネント１０８は、一例において、１つまたは複数のショート・メッセージ・サービス・メッセージ、マルチメディア・メッセージ、音声メッセージ、およびｅメールを含むメッセージに、レスポンス情報を挿入する。Ｘ１０ゲートウェイ・コンポーネント１０８は、移動通信装置１０２にメッセージを送信し、工程は３２２から３２４に進む。例えば、移動通信装置１０２のユーザ１２４は、１つまたは複数のショート・メッセージ・サービス・メッセージ、マルチメディア・メッセージ、音声メッセージ、およびｅメールを受信して、電気装置１２０の温度設定を知る。Ｘ１０ゲートウェイ・コンポーネント１０８は、一例において、ログアウト・タイマがまだ設定されていない場合、移動通信装置１０２のユーザ１２４に対して、ログアウト・タイマを設定し、工程は３２４から３０４または３２６に進む。
【００３０】
モジュール・コンポーネント１１２は、本発明の一例において、工程を３２６から３２８へ進めるため、１つまたは複数のトリガを待機する。例えば、トリガが、動きであり、電気装置１１４が、電球を含む場合、モジュール・コンポーネント１１２は、動きに反応して、電気装置１１４を点灯し、工程は３２８から３２０に進む。動きに反応して、モジュール・コンポーネント１１０またはモジュール・コンポーネント１１２は、一例において、Ｘ１０ゲートウェイ・コンポーネント１０８にレスポンス・メッセージを返送し、工程は３２０から３２２に進む。
【００３１】
レスポンス・メッセージは、本発明の一例において、写真またはビデオを含む。カメラ、モジュール・コンポーネント１１２、または移動通信装置１０４が、写真またはビデオを撮影する。Ｘ１０ゲートウェイ・コンポーネント１０８は、一例において、写真またはビデオを、マルチメディア・メッセージまたはｅメールを含むメッセージに挿入する。Ｘ１０ゲートウェイ・コンポーネント１０８は、移動通信装置１０２にメッセージを送信し、工程は３２２から３２４に進む。
【００３２】
機構１００は、本発明の一例において、１つまたは複数の電子コンポーネント、ハードウェア・コンポーネント、およびコンピュータ・ソフトウェア・コンポーネントなど、複数のコンポーネントを含む。そのような数々のコンポーネントは、機構１００において、組み合わせたり、または分割したりすることができる。機構１００の例示的なコンポーネントは、当業者であれば理解されるように、数々のプログラミング言語のいずれかで記述または実装された、１組および／または１連のコンピュータ命令を利用し、かつ／または含む。
【００３３】
機構１００は、本発明の一例において、１つまたは複数のコンピュータ可読信号搬送媒体を利用する。機構１００用のコンピュータ可読信号搬送媒体の例には、Ｘ１０ゲートウェイ・コンポーネント１０８の記録可能データ記憶媒体１２２が含まれる。例えば、機構１００用のコンピュータ可読信号搬送媒体は、１つまたは複数の磁気的、電気的、光学的、生物学的、および原子的なデータ記憶媒体を含む。一例において、コンピュータ可読信号搬送媒体は、例えば、１つまたは複数の電話網、ローカル・エリア・ネットワーク（「ＬＡＮ」）、インターネット、および無線ネットワークなど、機構１００を含む、または機構１００に結合されたネットワークを介して送信される、変調搬送波信号を含む。
【００３４】
本明細書で説明した工程または動作は、例示的なものに過ぎない。それらの工程または動作には、本発明の主旨から逸脱することなく、多くの変形形態が存在し得る。例えば、工程を異なる順序で実行することができ、工程を追加、削除、または変更することもできる。
【００３５】
本明細書では、本発明の例示的な実施形態を詳しく示し、説明してきたが、本発明の主旨から逸脱することなく、本発明に様々な変更、追加、置換、その他を施し得ることは、当業者には明らかであろう。したがって、それらは、添付の特許請求の範囲で確定される本発明の範囲に包含されるものと見なされる。
【図面の簡単な説明】
【００３６】
【図１】１つまたは複数の移動通信装置、１つまたは複数のネットワーク要素、１つまたは複数のＸ１０ゲートウェイ・コンポーネント、１つまたは複数のモジュール・コンポーネント、および１つまたは複数の電気装置を含む機構の例示的な一実施形態を示した図である。
【図２】インターネット、１つまたは複数のモデム・コンポーネント、および１つまたは複数のコンピュータが追加された、図１の機構に関する別の例示的な実施形態を示した図である。
【図３】Ｘ１０ゲートウェイ・コンポーネントが、図１の機構内の移動通信装置とモジュール・コンポーネントとの間で、１つまたは複数のメッセージを伝達できるようにするために機能させる例示的なロジックを示した図である。
【図１】
2005176382.tif 000003
【図２】
2005176382.tif 000004
【図３】
2005176382.tif 000005